(57)【要約】【課題】係わり合い部または被係わり合い部の何れかが鎌状をなし他方がこれを受容する関係にある場合に、これらをダイヤル錠と適切に関連づけて、引出や扉などの開閉部材の施解錠を簡易な構造、簡単な操作を通じて適切に行い得るようにした施解錠装置を提供する。【解決手段】扉２が閉止位置にあってダイヤル錠３が非照合状態のときに係わり合い部２１を被係わり合い部１１に係わり合わせた施錠状態に保ち、ダイヤル錠３の照合とともに係わり合い部２１を解錠状態に移行させて被係わり合い部１１との係わり合いを解除し、扉２の開放動作に伴い作動体４を通じてダイヤル錠３を非照合状態にリセットし、扉２を再び閉止する際には自動的に係わり合い部２１を施錠状態にして被係わり合い部１１に係わり合わせるように構成した。【選択図】図２
2010248839.tif 000002
【特許請求の範囲】
【請求項１】
筐体およびこの筐体の開口を開閉する開閉部材と、前記筐体又は前記開閉部材の何れか一方に設けられるダイヤル錠、作動体および係わり合い部と、前記筐体又は前記開閉部材の何れか他方に設けられる被係わり合い部とを具備し、これら係わり合い部と被係わり合い部とを係わり合わせることによって前記開閉部材を閉止位置に保持するものであって、
前記係わり合い部および被係わり合い部は、何れか一方が鎌状に突出し他方がこれを受容する関係にあり、
前記作動体は、前記開閉部材の開放動作に伴って一方向に移動するとともに、閉止動作に伴って他方向に移動するように構成され、
前記ダイヤル錠は、前記作動体の一方向の作動によって非照合状態にリセットされるとともに、他方向の作動によってリセット待機状態となるように当該作動体に関連づけられ、
前記係わり合い部は、前記開閉部材の閉止時においてダイヤル錠が非照合状態にあるときに被係わり合い部に係わり合う施錠位置に保持されるとともにダイヤル錠が照合された際に前記被係わり合い部との係わり合いを解除する解錠位置に移動するように少なくとも当該ダイヤル錠に関連づけられ、
さらに前記係わり合い部は、前記開閉部材が再び閉止位置に移動するまでの間に自動的に施錠位置に移動して前記被係わり合い部に係わり合うように構成されていることを特徴とする施解錠装置。
【請求項２】
係わり合い部はダイヤル錠の照合後に非照合状態にリセットされることにより施錠位置に弾性的に移行し、開閉部材が閉止位置に至る直前で被係わり合い部に突き当たることにより弾性力に抗して一時的に干渉回避動作を行った後に被係わり合い部に係わり合うものである請求項１記載の施解錠装置。
【請求項３】
係わり合い部又は被係わり合い部の何れか一方は、閉止位置にある開閉部材の開閉方向に沿って延び、先端に屈曲した爪部を有するものである請求項２記載の施解錠装置。
【請求項４】
係わり合い部はダイヤル錠の照合時に解錠位置に保持され、開閉部材が閉止位置に向かう際に作動体が他方向に作動する動作を利用して係わり合い部を被係わり合い部との干渉を回避しつつ当該被係わり合い部に係わり合う施錠位置に移動するものである請求項１記載の施解錠装置。
【請求項５】
係わり合い部又は被係わり合い部の何れか一方は、閉止位置にある開閉部材の開閉方向と直交する方向に沿って延び、先端に屈曲した爪部を有するものである請求項４記載の施解錠装置。
【請求項６】
開閉部材はダイヤル錠の照合に伴い係わり合い部が解錠位置に移動した段階でラッチ操作等を行うことなく開放可能な状態となるものであり、開放操作を行うための固定の把手が前記開閉部材に設けられている請求項１〜５何れかに記載の施解錠装置。
【請求項７】
ダイヤル錠および作動体が開閉部材側に設けられ、作動体が筐体の一部に突き当たって押し込まれるように構成されている請求項１〜６何れかに記載の施解錠装置。
【請求項８】
ダイヤル錠および作動体が筐体側に設けられ、作動体が開閉部材の一部に突き当たって押し込まれるように構成されている請求項１〜６何れかに記載の施解錠装置。
【請求項９】
作動体が開閉部材を開放する方向に弾性的に押し付けられている請求項７又は８何れかに記載の施解錠装置。
【請求項１０】
請求項１〜９何れかに記載の施解錠装置を開閉部材と筐体との間に適用してなることを特徴とする収納家具。
【発明の詳細な説明】
【技術分野】
【０００１】
本発明は、係わり合い部または被係わり合い部の何れかが鎌状をなし他方がこれを受容する関係にある場合に、これらをダイヤル錠と適切に関連づけて、引出や扉などの開閉部材の施解錠を簡易な構造、簡単な操作を通じて適切に行い得るようにした施解錠装置及びこれを適用した収納家具に関するものである。
【背景技術】
【０００２】
この種のダイヤル錠装置は、ラッチを備えた扉等に付随して設けられ、ダイヤル錠を照合させることでラッチを操作し得ないように拘束し、扉等を開ける際にはラッチの拘束を解除するように構成されるのが一般的である。
【０００３】
そのための具体的な操作としては、ダイヤルを照合させて扉を開けた後には再びラッチを拘束する状態に戻す必要があることを踏まえると、ダイヤルを照合させて摘みを回すことにより解錠して把手を引くようにした旧来のものを始め、特許文献１に示されるようにダイヤルを照合させてから摘みを回して、解錠とゼロリセットを行うようにしたもの等が知られている。
【先行技術文献】
【特許文献】
【０００４】
【特許文献１】特公平６−６０５４４号公報
【発明の概要】
【発明が解決しようとする課題】
【０００５】
ところが、このような構造であると、扉等を開ける際にはダイヤルを照合させる操作と摘みを回す操作の少なくとも２段階の操作が必要になる。このため、煩わしく、また扉等を閉める際には再びダイヤルのリセットやラッチによる拘束のための操作をしなければならないため、更に操作の煩雑なものとなっている。また、前者のものは、扉等が開いた状態でダイヤルが揃っているため、周囲の者に視認されてセキュリティ上望ましくないという問題もある。さらに従来のものは、扉等を閉めた後にも、施錠のために摘みを回すようにしたり、扉等を閉めた後に施錠のために摘みを回し、さらに手動でダイヤルを別の番号に回すようにしているので、ここでも操作が煩雑なものとなっている。すなわち、従来のものは、扉等を解錠してから再び施錠するまでの手数が多く、使い勝手の煩雑なものである。
【０００６】
本発明は、特に鎌状の係わり合い部や被係わり合い部を有するロッカー、金庫等において、これら係わり合い部や被係わり合い部とダイヤル錠等とを適切に関連づけて、扉、引出などの開閉部材の施解錠を簡易な構造、簡単な操作を通じて適切に行い得るようにした施解錠装置及びこれを適用した収納家具を提供することを目的としている。
【課題を解決するための手段】
【０００７】
本発明は、かかる目的を達成するために、次のような手段を講じたものである。
【０００８】
すなわち、本発明の施解錠装置は、筐体およびこの筐体の開口を開閉する開閉部材と、前記筐体又は前記開閉部材の何れか一方に設けられるダイヤル錠、作動体および係わり合い部と、前記筐体又は前記開閉部材の何れか他方に設けられる被係わり合い部とを具備し、これら係わり合い部と被係わり合い部とを係わり合わせることによって前記開閉部材を閉止位置に保持するものであって、前記係わり合い部および被係わり合い部は、何れか一方が鎌状に突出し他方がこれを受容する関係にあり、前記作動体は、前記開閉部材の開放動作に伴って一方向に移動するとともに、閉止動作に伴って他方向に移動するように構成され、前記ダイヤル錠は、前記作動体の一方向の作動によって非照合状態にリセットされるとともに、他方向の作動によってリセット待機状態となるように当該作動体に関連づけられ、前記係わり合い部は、前記開閉部材の閉止時においてダイヤル錠が非照合状態にあるときに被係わり合い部に係わり合う施錠位置に保持されるとともにダイヤル錠が照合された際に前記被係わり合い部との係わり合いを解除する解錠位置に移動するように少なくとも当該ダイヤル錠に関連づけられ、さらに前記係わり合い部は、前記開閉部材が再び閉止位置に移動するまでの間に自動的に施錠位置に移動して前記被係わり合い部に係わり合うように構成されていることを特徴とする。
【０００９】
ここで、鎌状の係わり合い部や被係わり合い部とは、平面視概略Ｌ字板状部を有するもので、先端に鉤形の爪部が設けてあり、その爪部がスリット等の開口に挿入されて開口周辺の裏面に係わり合うようなものをいう。また、リセット待機状態とは、次に作動体が一方向に作動した際に再びダイヤル錠を非照合状態にリセットできるような待機状態をいう。
【００１０】
このように構成すると、鎌状の係わり合い部や被係わり合い部を有する適用対象、例えばロッカー等に適用した場合に、ダイヤル錠の照合後に開閉部材がフリーになり、しかも筐体から離れる動作を利用して作動体が作動してダイヤルを非照合状態にリセットし、開閉部材を閉止するだけで施錠がなされるので、ダイヤル錠をリセットするための別段の操作や、閉止位置で開閉部材を施錠するための別段の操作等を不要にして、極力少ない手順に利用に供することができる。しかも、作動体は筐体又は開閉部材の何れか一方に設けておけばよいので、開閉部材の開閉動作を利用しつつも、両者間に亘ってリンク等を配置するような複雑かつ収納空間を妨げるような構造も有効に回避することが可能となる。
【００１１】
開閉部材が閉止位置に移動する間に係わり合い部が自動的に施錠位置に移動して被係わり合い部に係わり合うための具体的な一態様としては、係わり合い部がダイヤル錠の照合後に非照合状態にリセットされることにより施錠位置に弾性的に移行し、開閉部材が閉止位置に至る直前で被係わり合い部に突き当たることにより弾性力に抗して一時的に干渉回避動作を行った後に被係わり合い部に係わり合うように構成しているものが挙げられる。
【００１２】
このような構成は、特に係わり合い部又は被係わり合い部の何れか一方が、閉止位置にある開閉部材の開閉方向に沿って延び、先端に屈曲した爪部を有するものである場合に有効となる。
【００１３】
また、開閉部材が閉止位置に移動する間に係わり合い部が自動的に施錠位置に移動して被係わり合い部に係わり合うための具体的な他の一態様としては、係わり合い部がダイヤル錠の照合時に解錠位置に保持され、開閉部材が閉止位置に向かう際に作動体が他方向に作動する動作を利用して係わり合い部を被係わり合い部との干渉を回避しつつ当該被係わり合い部に係わり合う施錠位置に移動するように構成しているものが挙げられる。
【００１４】
このような構成は、係わり合い部又は被係わり合い部の何れか一方は、閉止位置にある開閉部材の開閉方向と直交する方向に沿って延び、先端に屈曲した爪部を有するものである場合に有効となる。
【００１５】
ダイヤル錠の照合後に開閉部材の軽快な操作性を確保するためには、開閉部材が、ダイヤル錠の照合に伴い係わり合い部が解錠位置に移動した段階でラッチ操作等を行うことなく開放可能な状態となるものであり、開放操作を行うための固定の把手が前記開閉部材に設けられていることが望ましい。
【００１６】
作動体を開閉部材に簡単、確実に連動させ、ダイヤル錠の照合操作と開閉部材を開ける操作とを一連の動作によって行うためには、ダイヤル錠および作動体が開閉部材側に設けられ、作動体が筐体の一部に突き当たって押し込まれるように構成されていることが好ましい。
【００１７】
或いは、作動体を開閉部材に簡単、確実に連動させ、開閉部材側はシンプルに構成したい場合には、ダイヤル錠および作動体が筐体側に設けられ、作動体が開閉部材の一部に突き当たって押し込まれるように構成されていることが好ましい。
【００１８】
開閉部材の開放動作を一層スムーズにするとともに、閉止時の開閉部材をガタつきのないものにするためには、作動体が開閉部材を開放する方向に弾性的に押し付けられていることが望ましい。
【００１９】
本発明の施解錠装置は、以上のような構成であるから、この施解錠装置を開閉部材と筐体との間に適用して収納家具を構成することが極めて有用となり得る。
【発明の効果】
【００２０】
本発明は、以上説明した構成であるから、何れか一方が鎌状をなす係わり合い部および被係わり合い部によって開閉部材を筐体に対して施解錠するものにおいて、ダイヤル錠を照合するだけで開閉部材を開放することができ、しかも別段の操作をすることなくダイヤル錠を再び非照合状態にリセットすることができ、さらに開閉部材を押し込むだけで閉止位置に施錠状態で保持することができる。このため、極力少ない操作手順で利用することができ、しかも鎌状をなす係わり合い部および被係わり合い部を前提とする場合の構造の簡素化やコストダウンを阻害せずに初期の目的を実現できるようにした、優れた施解錠装置を提供することが可能となる。
【図面の簡単な説明】
【００２１】
【図１】本発明の第１実施形態に係る施解錠装置を適用した収納家具を閉扉状態で示す斜視図。
【図２】同収納家具を開扉状態で示す斜視図。
【図３】同収納家具を構成する扉の裏面を示す部分拡大斜視図。
【図４】同実施形態の施解錠装置を構成する作動体の動作説明図。
【図５】同実施形態に係る施解錠装置の作用説明図。
【図６】同実施形態に係る施解錠装置の作用説明図。
【図７】本発明の第２実施形態に係る施解錠装置を適用した収納家具を閉扉状態で示す斜視図。
【図８】同収納家具を構成する扉の裏面を示す部分拡大斜視図。
【図９】同実施形態に係る施解錠装置の作用説明図。
【図１０】同実施形態に係る施解錠装置の作用説明図。
【図１１】本発明の変形例を示す図。
【図１２】本発明の他の変形例を示す図。
【発明を実施するための形態】
【００２２】
＜第１実施形態＞
【００２３】
以下、本発明の第１実施形態を、図１〜図６を参照して説明する。
【００２４】
図１〜図３は、本実施形態の施解錠装置Ａを適用した収納装置Ｂを示している。この収納装置Ｂは、筐体１の収納空間を開閉する位置に開閉部材である扉２を配置し、これら扉２と筐体１との間に施解錠装置Ａを適用している。この施解錠装置Ａは、扉２に係わり合い部２１およびダイヤル錠３を組み込み、筐体１側に被係わり合い部１１を設けて、扉２を押し込むだけで係わり合い部２１を被係わり合い部１１に係わり合わせて施錠状態にすることにより扉２を筐体１に対する閉止位置にロック状態で保持し、扉２に設けたダイヤル錠３を照合させることにより係わり合い部２１と被係わり合い部１１との係わり合いを解除して扉２を開放可能にし、その後の扉２の開放動作を利用してダイヤル錠３の照合状態をリセットするものである。
【００２５】
具体的に説明すると、扉２は、筐体１の側板１２にヒンジ機構Ｈを介して吊元側の縁部２ａを開閉可能に支持されたもので、ヒンジＨと反対側に位置する側板１２の前面には前方に向かって凹となる段部１２ａが形成されており、扉２を閉止する際に、その凹となる段部１２ａ内に扉２の反吊元側の縁部２ｂの厚み部分が収まるようになっている。扉２の前面には、指を掛けるために適した形状の固定の把手２２が設けてある。この把手２２はレバーのような可動部を有さず、係わり合い部２１とは切り離されていて、ラッチ操作等に用いるたぐいのものではない。
【００２６】
係わり合い部２１は、扉２の反吊元側の縁部２ｂの近傍における裏面より後方に向けて突出した状態で上下可動に設けられた鎌状のものであり、被係わり合い部１１は、筐体１に形成された前記段部１２ａの内奥に位置する当たり面１２ｘにおいて係わり合い部２１の対応位置に設けたスリット状のものである。鎌状の係わり合い部２１は、スチール等で作られた概略Ｌ字板状のもので、先端が下向きに屈曲する爪部２１ｘをなしている。
【００２７】
そして、扉２の裏面に設けたレール部材２４のレール２４ａに上下動可能にスライダ２３を配置し、このスライダ２３に前記係わり合い部２１を接続部２３ａを介して一体的に取り付けるとともに、このスライダ２３に、ダイヤル錠３の一端側から突出したレバー３１を関連部５を介して接続している。
【００２８】
ダイヤル錠３は、前述したレバー３１の基端側をケーシング３０の内部に設定した支点ｎの回りに回転可能に支持させたもので、前記関連部５はレバー３１の回転とスライダ２３の上下動作とを連動させるものである。レバー３１は、支点ｎから変位した部位が下方に向けてバネ３２により付勢されており、ダイヤル錠３は照合時にレバー３１を略水平な上方回動位置に保持し、非照合時にその保持力を解除する機能を備えている。保持力を解除されたレバー３１は、バネ３２により下方回動位置に移動する。
【００２９】
そして、図２に示すように、ダイヤル錠３のケーシング３０から作動体４を突出させ、さらに扉２の吊元側の縁部２ａから作動体４を突出させている。この作動体４は、図５等に示すように、基端がケーシング３０の内部においてバネ３０ａで一方向（図中左方向）へ突出する方向に付勢されているもので、先端を他方向に押し込まれるとケーシング３０内に没入する方向に移動し、押し込み力を解除すると一方向に移動してケーシング３０からの突出量（扉２の吊元側の縁部２ａからの突出量）が増大するものである。
【００３０】
この作動体４は、図４に示すように、先端を筐体１の内壁１ｘの適宜部位に臨んで配置され、図４（ａ）→（ｂ）→（ｃ）に示すように扉２が閉止動作を行った際に、作動体４は筐体１の内壁１ｘに突き当たってその反力でケーシング３０内（扉２の吊元側の縁部２ａ側）へ没入する方向に押し込まれ、逆に図４（ｃ）→（ｂ）→（ａ）に示すように扉２が開成動作を行った際に筐体１の内壁１ｘから遠ざかって扉２の縁部２ａから後方への突出量を増大させる。作動体４は、複数の部品を組み合わせて構成してもよいし、突出方向の動作を与えるバネはダイヤル錠３の外部にあっても構わない。
【００３１】
ダイヤル錠３は、上記作動体４の動作において、当該作動体４がケーシング３０内に没入する際にはダイヤル錠３のダイヤル状態に影響を及ぼさず、ケーシング３０から突出する際にはダイヤル錠３のダイヤルをゼロリセットすべく構成されている。前記作動体４と連動して、ゼロリセットを含めてダイヤルの非照合時には反対側から突出するレバー３１に対する保持力が解除されてバネ３２により下方回動位置に移動し、照合時にレバー３１を水平な上方回動位置に回転させて保持するのは既述したところである。ダイヤル錠３のリセット構造等については種々のものが既に知られているところであるため、内部構造の説明は省略している。
【００３２】
すなわち、扉２が図５（ａ）に示す閉止位置にあるときは、作動体４が筐体１の内壁１ａにより押し込まれて没入位置にある。このときダイヤル錠３が非照合状態にあれば、レバー３１の保持力が解除され、レバー３１はバネ３２に付勢されて下方回動位置に移動して、係わり合い部２１が被係わり合い部１１に係わり合う施錠位置にある。次に、ダイヤル錠３を照合させると、レバー３１がダイヤル錠３の機能により図５（ｂ）に矢印で示すように上方回動位置に移動してその位置に保持され、係わり合い部２１は被係わり合い部１１との係わり合いを解除する解錠位置（上昇位置）に移動する。このため、扉２が開放可能な状態となる。扉２には図１に示したように固定の把手２２が設けてあるため、把手２２を引くだけで扉２が開放される。扉２が開き始めると、図４（ｃ）→（ｂ）→（ａ）のように没入位置にあった作動体４が扉２の吊元側に向かって突出し、これにより、ダイヤル錠３はゼロリセットされる。このゼロリセットのときに、レバー３１の保持力が解除されて、図６（ａ）に矢印で示すようにバネ３２により下方回動位置まで回動し、スライダ２３を介して係わり合い部２１が下降して施錠位置に移動する。扉２を閉止するときは、図６（ｂ）に矢印で示すように筐体１の内壁１ａにより作動板４が押し込まれてリセット待機位置に向かう。このとき係合部２１は施錠位置にあるため、そのまま閉止位置に向かうと被係わり合い部１１の開口縁と干渉するが、係わり合い部２１は保持力を解除されてバネ３２により施錠位置にあるだけであるため、係わり合い部２１が一時的に被係わり合い部１１との干渉を回避するためにバネ３２の弾性に抗して同図中矢印で示すように被係わり合い部１１の開口縁に乗り上げ、乗り越えた位置で再びバネ３２により下方に移動して、図５（ａ）の施錠位置に復帰する。このとき係わり合い部２１の爪部２１ａが被係わり合い部１１の開口周辺の裏面に係わり合い、ダイヤル錠３はゼロリセット状態を維持する。
【００３３】
以上のように、本実施形態の施解錠装置は、筐体１およびこの筐体１の開口を開閉する開閉部材たる扉２と、前記扉２に設けられるダイヤル錠３、作動体４および係わり合い部２１と、前記筐体１に設けられる被係わり合い部１１とを具備し、これら係わり合い部２１と被係わり合い部１１とを係わり合わせることによって前記扉２を閉止位置に保持するものである。そして、前記係わり合い部１１を鎌状に突出させて被係わり合い部２１にこれを受容させる関係に設定し、作動体４を、扉２の開放動作に伴って一方向に移動するとともに、閉止動作に伴って他方向に移動するように構成し、ダイヤル錠３を、作動体４の一方向の作動によって非照合状態にリセットされるとともに、他方向の作動によってリセット待機状態となるように当該作動体４に関連づけ、係わり合い部２１を、前記扉２の閉止時においてダイヤル錠３が非照合状態にあるときに被係わり合い部１１に係わり合う施錠位置に保持されるとともにダイヤル錠３が照合された際に前記被係わり合い部１１との係わり合いを解除する解錠位置に移動するように当該ダイヤル錠３に関連づけたものである。そして、前記係わり合い部２１を、前記扉２が再び閉止位置に移動するまでの間に自動的に施錠位置に移動して前記被係わり合い部１１に係わり合うように構成したものである。
【００３４】
このように構成すると、鎌状の係わり合い部２１を有する適用対象、例えばロッカー等に適用した場合に、ダイヤル錠３の照合後に扉２がフリーになり、しかも筐体１から離れる動作を利用して作動体４を作動させ、これによりダイヤル錠３を非照合状態にリセットするとともに、扉２を閉止するだけで施錠がなされるので、ダイヤル錠３をリセットのための別段の操作や、閉止位置における扉２の施錠操作等を不要にして、極力少ない手順で利用に供することができる。しかも、作動体４は扉２側にのみ付帯させて設けておけばよいので、扉２の開閉動作を利用しつつも、扉２と筐体１との間に亘ってリンク等を配置するような複雑かつ収納空間を妨げるような構造も有効に回避することが可能となる。
【００３５】
具体的には、係わり合い部２１を、ダイヤル錠３の照合後に非照合状態にリセットされることにより施錠位置に弾性的に移行させ、扉２が閉止位置に至る直前で被係わり合い部１１を構成する開口の開口縁に突き当たることにより弾性力に抗して一時的に干渉回避動作を行った後に被係わり合い部１１に係わり合わせる構造にしているため、扉２を閉めるだけで自動的に施錠状態となる構成を有効に実現することができる。
【００３６】
特に、本実施形態の係わり合い部２１は、閉止位置にある扉２の開閉方向（厚み方向）に沿って延び、先端に下方へ屈曲した爪部２１ｘを有するものであり、閉止方向の内奥に位置する被係わり合い部１１に係わり合うものであるため、上記の係わり合構造を適用することで係わり合い部２１と被係わり合い部１１とを扉２の開閉方向に確実に係わり合わせて閉止状態を実現することができる。
【００３７】
また、扉２はダイヤル錠３の照合に伴い係わり合い部２１が解錠位置に移動した段階でラッチ操作等を行うことなく開放可能な状態となるものであり、開放操作を行うための固定の把手が前記扉２に設けられている。すなわち、ダイヤル錠３の照合時に扉２がフリーになると、あとは固定の把手を引くだけであるので、開放操作が極めて簡単なものになる。
【００３８】
特に、ダイヤル錠３および作動体４が扉２側に設けられ、作動体４が筐体１の一部に突き当たって押し込まれるように構成されているので、ダイヤル錠３の照合操作と開閉部材を開く操作とを一連の動作によって行うことができる。しかも、作動体４の押し込み操作を筐体１の一部を利用して行うため、扉２と作動体４との連動状態を簡単かつ確実に実現することができる。
【００３９】
さらに、作動体４が扉２を開放する方向に弾性的に押し付けられているので、ダイヤル照合後の扉２の開放動作を弾性力によって補助することができ、また、閉止位置で扉２に弾性力が働くため、係わり合い部２１と被係わり合い部１１との係合状態をガタつきのない確実なものにすることが可能となる。
【００４０】
そして、本実施形態の施解錠装置Ａを扉２と筐体１との間に適用すれば、安価にロッカー等の収納家具Ａを構成することができて、私物等の出し入れを迅速、安全、平易に行うことを可能にして使い勝手を有効に向上させることができる。
＜第２実施形態＞
【００４１】
次に、本発明の第２実施形態を、図７〜図１０を参照して説明する。
【００４２】
図７及び図８は、本実施形態の施解錠装置Ｃを適用した収納装置Ｄを示している。この収納装置Ｄは、基本的に前記実施形態と同様に、筐体１０１の収納空間を開閉する位置に開閉部材である扉１０２を配置し、これらの扉１０２と筐体１０１との間に施解錠装置Ｃを適用している。施解錠装置Ｃは、扉１０２に係わり合い部１２１およびダイヤル錠１０３を組み込み、筐体１０１側に被係わり合い部１１１を設けて、扉１０２を押し込むだけで係わり合い部１２１を被係わり合い部１１１に係わり合わせて施錠状態にすることにより扉１０２を筐体１０１に対する閉止位置にロック状態で保持し、扉１０２に設けたダイヤル錠１０３を照合させることにより係わり合い部１２１と被係わり合い部１１１との係わり合いを解除して扉１０２を開放可能にし、その後の扉１０２の開放動作を利用してダイヤル錠１０３の照合状態をリセットする点で上記実施形態と基本的に同じ機能を有するものである。
【００４３】
具体的に説明すると、扉１０２は、筐体１０１の側板１１２にヒンジ機構Ｈを介して吊元側の縁部１０２ａを開閉可能に支持され、反吊元側の縁部１０２ｂを筐体１０２の段部１１２ａに形成した当たり面１１２ｘに突き当てて閉止する点で上記実施形態と同様である。この扉１０２にも、指を掛けるために適した形状の固定の把手（図示省略）が前面側に設けてある。この把手もレバーのような可動部を有さず、係わり合い部１２１とは切り離されていて、ラッチ操作等に用いるたぐいのものではない。
【００４４】
係わり合い部１２１は、扉１０２の反吊元側の縁部１０２ｂから外側方すなわち扉１０２の面板に沿った方向に向けて突出した状態で上下可動に設けられた鎌状のものであり、被係わり合い部１１１は、扉１０２が前記段部１１２ａの内奥に位置する当たり面１１２ｘに突き当たった際に係わり合い部１２１が突出する方向の側板１１２の内面に形成されたスリット状のものである。鎌状の係わり合い部１２１は、スチール等で作られた概略Ｌ字板状のもので、先端が上向きに屈曲する爪部１２１ｘをなしている。
【００４５】
そして、扉１０２の裏面に設けたレール部材１２４に上下動可能にスライダ１２３を配置するとともに、前記係わり合い部１２１の中間部を支点ｍを介して扉１０２に回転可能に支持させて、当該係わり合い部１２１の基端部を前記スライダ１２３にピンと長孔の関係等からなる第１の連動部１０５ａを介して接続し、係わり合い部１２１の回転動作とスライダ１２３の上下動作とを関連づけている。
【００４６】
ダイヤル錠１０３は、前述したレバー１３１の基端側をケーシング１３０の内部に設定した支点ｎの回りに回転可能に支持させたもので、先端側において第２の連動部１０５ｂを介してスライダ１２３に接続し、レバー１３１の回転動作とスライダ１２３の上下動作とを関連づけている。すなわち、レバー１３１の上下の回転動作は、スライダ１２３の上下のスライド動作に連動し、さらに前記レバー１３１と逆方向の係わり合い部１２１の上下の回転動作に連動するものとなっている。レバー１３１は、支点ｎから変位した部位が下方に向けてバネ１３２により付勢されており、ダイヤル錠１０３は照合時にレバー１３１を略水平位置に保持し、非照合時にその保持力を解除する機能を有している。保持力を解除されたレバー１３１は、バネ１３２により下方回動位置に移動する。
【００４７】
そして本実施形態も、扉１０２の吊元側の縁部１０２ａに向かってケーシング１３０から作動体１０４を突出させている。この作動体１０４も、図９等に示すように、基端がケーシング１３０の内部においてバネ１３０ａで突出方向に付勢されているもので、先端を他方向に押し込まれるとケーシング１３０内に没入する方向に移動し、押し込み力を解除すると一方向に移動してケーシング１３０からの突出量（扉１０２の吊元側の縁部１０２ａからの突出量）を増大させるものである。
【００４８】
この作動体１０４は、ダイヤル錠１０３の内部に一部が挿入されている第１の作動杆１０４ａと、この第１の作動杆１０４ａの端部に接続されて扉１０２の吊元側の縁部１０２ａから突没する第２の作動杆１０４ｂとから構成されている。筐体１０２の内壁との関係は図４に基づいて説明したと同様である。この作動体１０４に突出方向の動作を与えるバネはダイヤル錠３の外部にあっても構わない。さらに、前記レバー１３１及び前記スライダ１２３の下方には、当該レバー１３１の下方回動位置およびスライダ１２３の下方へのスライド位置を規制する規制部１６０ａが設けてある。この規制部１６０ａは、一端を前記作動体１０４とともに移動する可動軸ｐに接続され、他端側に設けた長孔１６０ｂに扉１０２の裏面より突出する固定軸ｓを挿し通された規制リンク１６０のその端部に設定されたもので、両軸ｐ、ｓはほぼ同じ高さに設定され、前記長孔１６０ｂは両軸ｐ、ｓを結ぶ線に対して傾斜している。そして、作動体１０４が図１０（ａ）に示す突出位置から図１０（ｂ）に示す没入方向に移動するときに、規制部１６０ａが次第にその位置を降下させるように構成している。
【００４９】
ダイヤル錠１０３は、上記作動体１０４の動作において、当該作動体１０４がケーシング１３０内に没入する際にはダイヤル錠１０３のダイヤル状態に影響を及ぼさず、ケーシング１３０から突出する際にはダイヤル錠１０３のダイヤルをゼロリセットすべく構成されている。前記作動体１０４と連動して、ゼロリセットを含めてダイヤルの非照合時には反対側から突出するレバー１３１に対する保持力が解除されてバネ１３２により下方回動位置に移動し、照合時にこれを水平姿勢に向けて回転させて回転先に保持するのは既述したところである。
【００５０】
すなわち、扉１０２が図９（ａ）に示す閉止位置にあるときは、作動体１０４が筐体１０１の内壁により押し込まれて没入位置にある。このときダイヤル錠１０３が非照合状態にあれば、レバー１３１の保持力が解除され、レバー１３１はバネ１３２に付勢されて下方回動位置にあり、このときスライダ１２３を介して係わり合い部１２１を逆に上方回動位置である施錠位置（上昇位置）に保持する。次に、ダイヤル錠１０３を照合させると、ダイヤル錠１０３の機能によりレバー１３１が図９（ｂ）に矢印で示すように上方回動位置に移動してその位置に保持され、スライダ１２３が上昇して、係わり合い部１２１が逆に被係わり合い部１１１との係わり合いを解除する解錠位置（下降位置）に移動する。このため、扉１０２が開放可能な状態となる。扉１０２には固定の把手が設けてあるため、把手を引くだけで扉１０２が開放される。扉１０２が開き始めると、図４（ｃ）→（ｂ）→（ａ）と同様にして没入位置にあった作動体１０４が図１０（ａ）に矢印で示すように扉１０２の吊元側に向かって突出し、これにより、ダイヤル錠１０３はゼロリセットされる。このゼロリセットのときに、レバー１３１の保持力が解除されて、レバー１３１はバネ１３２により図９（ａ）の下方回動位置に回動しようとする。しかしながら、規制リンク１６０の規制部１６０ａがスライダ１２３を下支えするため、レバー１３１は直ぐには下方に回動せず、スライダ１２３を介して係わり合い部１２１が下方回動位置である解錠位置に保持された状態を維持する。そして、扉１０２を閉止方向に移動させるに伴い図１０（ｂ）に矢印で示すように作動体１０４が押し込まれると、規制リンク１６０の規制部１６０ａが次第にレバー１３１を下支えする位置を降下させる。そして、扉１０２が閉止位置に至る直前、すなわち係わり合い部１２１が被係わり合い部１１１の側方隣接位置に到来した時点で、レバー１３１が図１０（ｂ）に示すように扉１０２の反吊元側の縁部１０２ｂから突出して上方へ回動し、最終的に図９（ａ）に示す略水平な上方回動位置近傍に達したときにスライダ１２３を介して係わり合い部１２１が扉１０２の反吊元側の縁部１０２ｂより突出して被係わり合い部１１１に係わり合い、施錠状態となる。このときダイヤル錠１０３のダイヤルはゼロリセット状態を維持する。
【００５１】
以上のように、本実施形態の施解錠装置Ｃは、筐体１０１およびこの筐体１０１の開口を開閉する開閉部材たる扉１０２と、前記扉１０２に設けられるダイヤル錠１０３、作動体１０４および係わり合い部１２１と、前記筐体１０１に設けられる被係わり合い部１１１とを具備し、これら係わり合い部１２１と被係わり合い部１１１とを係わり合わせることによって前記扉１０２を閉止位置に保持するものである。そして、前記係わり合い部１１１を鎌状に突出させて被係わり合い部１２１にこれを受容させる関係に設定し、作動体１０４を、扉１０２の開放動作に伴って一方向に移動するとともに、閉止動作に伴って他方向に移動するように構成し、ダイヤル錠１０３を、作動体１０４の一方向の作動によって非照合状態にリセットされるとともに、他方向の作動によってリセット待機状態となるように当該作動体１０４に関連づけ、係わり合い部１２１を、前記扉１０２の閉止時においてダイヤル錠１０３が非照合状態にあるときに被係わり合い部１１１に係わり合う施錠位置に保持されるとともにダイヤル錠１０３が照合された際に前記被係わり合い部１１１との係わり合いを解除する解錠位置に移動するように当該ダイヤル錠１０３に関連づけたものである。そして、前記係わり合い部１２１を、前記扉１０２が再び閉止位置に移動するまでの間に自動的に施錠位置に移動して前記被係わり合い部１１１に係わり合うように構成したものである。
【００５２】
このように構成すると、鎌状の係わり合い部１２１を有する適用対象、例えばロッカー等に適用した場合に、ダイヤル錠１０３の照合後に扉１０２がフリーになり、しかも筐体１０１から離れる動作を利用して作動体１０４を作動させ、これによりダイヤル錠１０３を非照合状態にリセットするとともに、扉１０２を閉止するだけで施錠がなされるので、ダイヤル錠１０３をリセットのための別段の操作や、閉止位置における扉１０２の施錠操作等を不要にして、極力少ない手順で利用に供することができる。しかも、作動体１０４は扉１０２側にのみ付帯させて設けておけばよいので、扉１０２の開閉動作を利用しつつも、扉１０２と筐体１との間に亘ってリンク等を配置するような複雑かつ収納空間を妨げるような構造も有効に回避することが可能となる。
【００５３】
具体的には、係わり合い部１２１をダイヤル錠１０３の照合時に解錠位置に保持させ、扉１０２が閉止位置に向かう際に作動体１０４が他方向に作動する動作を利用して係わり合い部１２１を被係わり合い部１１１との干渉を回避しつつ当該被係わり合い部１１１に係わり合う施錠位置に移動させる構造にしているため、扉１０２を閉めるだけで自動的に施錠状態となる構成を有効に実現することができる。
【００５４】
特に、本実施形態の係わり合い部１２１は、閉止位置にある扉１０２の開閉方向と直交する方向に沿って延び、先端に上方へ屈曲した爪部１２１ｘを有するものであり、閉止位置の側方に位置する被係わり合い部１１１に係わり合うものであるため、上記の係わり合い構造を適用することで係わり合い部１２１と被係わり合い部１１１とを扉１０２の開閉方向と直交する方向に確実に係わり合わせて閉止状態を実現することができる。
【００５５】
また、この実施形態においても、扉１０２はダイヤル錠１０３の照合に伴い係わり合い部１２１が解錠位置に移動した段階でラッチ操作等を行うことなく開放可能な状態となるものであり、開放操作を行うための固定の把手が前記扉１０２に設けられている。すなわち、ダイヤル錠１０３の照合時に扉１０２がフリーになると、あとは固定の把手を引くだけであるので、開放操作が極めて簡単なものになる。
【００５６】
特に、ダイヤル錠１０３および作動体１０４が筐体１０１側に設けられ、作動体１０４が扉１０２の一部に突き当たって押し込まれるように構成されているので、扉１０２側を極力シンプルに構成することができる。しかも、作動体１０４の押し込み操作を扉１０２の一部を利用して行うため、扉１０２と作動体１０４との連動状態を簡単かつ確実に実現することができる。
【００５７】
さらに、作動体１０４が扉１０２を開放する方向に弾性的に押し付けられていることにより開放動作の円滑性や係わり合い部１２１と被係わり合い部１１１との適切な係合状態につながる点や、このような施錠装置Ｃを扉１０２と筐体１０１との間に適用して収納家具Ａとすることで、安価に構成できて使い勝手を有効に向上させることができる点なども、上記実施形態と同様である。
【００５８】
なお、各部の具体的な構成は、上述した実施形態のみに限定されるものではない。
【００５９】
例えば、上記実施形態では作動体およびダイヤル錠を開閉部材である扉側に設けたが、ダイヤル錠および作動体を筐体側に設けられ、作動体が開閉部材である扉の一部に突き当たって押し込まれるように構成してもよい。
【００６０】
また、図１１に示すように、扉２０２の反吊元側の縁部若しくは縁部近傍の裏面に作動体２０４を設け、その対面位置にある筐体２０１の前面２０１ｘで作動体２０４を押し込むように構成することもできる。勿論、この場合にも作動体２０４を筐体２０１側に設けて扉２０２で押し込むように構成してもよい。
【００６１】
さらに、本発明の適用対象である開閉部材は扉に限らず、例えば図１２に示すような引出とすることもできる。この場合、筐体３０１およびこの筐体３０１の開口を開閉する開閉部材たる引出３０２と、前記引出３０２に設けられるダイヤル錠３０３、作動体３０４および係わり合い部３２１と、前記筐体３０１に設けられる被係わり合い部３１１とを具備し、これら係わり合い部３２１と被係わり合い部３１１とを上記第１実施形態の図５及び図６と同様に係わり合わせることによって前記引出３０２を閉止位置に保持するものである。そして、前記係わり合い部３１１を鎌状に突出させて被係わり合い部３２１にこれを受容させる関係に設定し、作動体３０４を、引出３０２の開放動作に伴って同図（ｄ）→（ｃ）→（ｂ）→（ａ）に示すように一方向に移動するとともに、閉止動作に伴って（ａ）→（ｂ）→（ｃ）→（ｄ）に示すように他方向に移動するように構成し、ダイヤル錠３０３を、作動体３０４の一方向の作動によって非照合状態にリセットされるとともに、他方向の作動によってリセット待機状態となるように当該作動体３０４に関連づけ、係わり合い部３２１を、前記引出３０２の閉止時においてダイヤル錠３０３が非照合状態にあるときに被係わり合い部３１１に係わり合う施錠位置に保持されるとともにダイヤル錠３０３が照合された際に前記被係わり合い部３１１との係わり合いを解除する解錠位置に移動するように当該ダイヤル錠３０３に関連づけたものである。そして、前記係わり合い部３２１を、前記引出３０２が再び閉止位置に移動するまでの間に自動的に施錠位置に移動して前記被係わり合い部３１１に係わり合うように構成したものである。このように構成しても、上記実施形態と全く同様の作用効果が奏される。
【００６２】
勿論、係わり合い部は開閉部材である開閉方向と直交する方向に延びて被係わり合い部に係わり合う上記第２実施形態のタイプとして構成することも可能である。
【００６３】
さらに、開閉方向と直交する方向に突出する鎌状の係わり合い部の態様には、先端が爪状をなしていない閂状のものも含まれる。
【００６４】
その他の構成も、本発明の趣旨を逸脱しない範囲で種々変形が可能である。
【符号の説明】
【００６５】
Ａ…施解錠装置
Ｂ…収納家具
Ｃ…施解錠装置
Ｄ…収納家具
１、１０１…筐体
２、１０２…開閉部材（扉）
３、１０３…ダイヤル錠
４、１０４…作動体
１１、１１１…被係わり合い部
２１、１２１…係わり合い部
２１ｘ、１２１ｘ…爪部
２２…把手
【図１】
2010248839.tif 000003
【図２】
2010248839.tif 000004
【図３】
2010248839.tif 000005
【図４】
2010248839.tif 000006
【図５】
2010248839.tif 000007
【図６】
2010248839.tif 000008
【図７】
2010248839.tif 000009
【図８】
2010248839.tif 000010
【図９】
2010248839.tif 000011
【図１０】
2010248839.tif 000012
【図１１】
2010248839.tif 000013
【図１２】
2010248839.tif 000014